(57)【特許請求の範囲】
【請求項１】
ＮＴＳＣ方式の映像信号を受信する受信手段と、
当該受信手段により受信された映像信号を画像データに変換する変換手段と、
当該変換手段が変換した画像データの記憶及び他の処理で利用される記憶手段と、
当該記憶手段の使用可能な容量を検出する検出手段と、
当該検出手段の検出結果に基づいて、前記変換手段による変換方法を２フレームで構成される２画面の差分によって色情報と輝度情報を取り出す２画面差分法と、１フレームで構成される１画面からＦＩＲフィルタで色情報と輝度情報を取り出すＦＩＲフィルタ法との間で切り換える変換方式変更手段と
を備えたことを特徴とする多機能装置。
【請求項２】
前記変換方式変更手段は、前記検出手段による前記記憶手段の使用可能な容量の検出結果が、第１の所定量以上であった場合に、前記２画面差分法を用いた変換方法に変更することを特徴とする請求項１に記載の多機能装置。
【請求項３】
前記変換方式変更手段は、前記検出手段による前記記憶手段の使用可能な容量の検出結果が、第１の所定量未満、第２の所定量以上であった場合に、２フィールドで前記ＦＩＲフィルタ法を用いる変換方法に変更することを特徴とする請求項１又は２に記載の多機能装置。
【請求項４】
前記変換方式変更手段は、前記検出手段による前記記憶手段の使用可能な容量の検出結果が、第２所定量未満、第３の所定量以上であった場合に、１フィールドで前記ＦＩＲフィルタ法を用いる変換方法に変更することを特徴とする請求項１乃至３の何れかに記載の多機能装置。
【発明の詳細な説明】
【０００１】
【発明の属する技術分野】
本発明は多機能装置に係り、特に映像信号を処理する機能を備えた多機能装置に関するものである。
【０００２】
【従来の技術】
従来、レーザプリンタやカラーのインクジェットプリンタによる印字機能、ＣＣＤを用いたスキャナ機能、複写機能、ファックス機能、パソコンとの接続機能を備えた多機能装置（マルチファンクション装置）が知られている。
【０００３】
上記多機能装置は、メモリを内蔵し、各種機能に対応してそのメモリに各種のデータが記憶されている。例えば、ＦＡＸ受信データメモリ、ＦＡＸ送信データメモリ、留守番電話の録音メモリ、留守番電話の応答メッセージメモリ、プリンタ用のバッファメモリ、スキャナ用のバッファメモリ、画像データの記憶メモリにその内蔵されたメモリが使用されている。
【０００４】
上述のような多機能装置に、映像信号を入力してビデオキャプチャ処理を行い画像データをパーソナルコンピュータに出力する機能を付け加えることを発明者は考えた。この場合に、映像信号としてはＮＴＳＣ方式が多く用いられている。このＮＴＳＣ方式においては、１フィールドを基本単位としており、２フィールドで１フレームを構成している。つまり、ＮＴＳＣ方式は、インターレスであるため、１／２画面になる。ＮＴＳＣ方式で色情報と輝度情報を取り出すためには、ＦＩＲ（Finite Impulse Response)フィルタを用いることができる。
【０００５】
【発明が解決しようとする課題】
しかしながら、上記の１フィールドでＦＩＲフィルタによって色信号を取り出すと、使用されるメモリの容量は最小容量（１／２画面分）で良いが、色信号の品質が悪いという不都合がある。すなわち、１フィールドは１／２画面なので解像度が低く、ＦＩＲフィルタでの処理に限界があるため、ＦＩＲフィルタで１フィールドの信号を取り出すと、隣にある色情報を比較して取り出すために、解像度や品質が良くないという不都合がある。
【０００６】
次に、１フレームつまり２フィールドで1画面を構成すると、ＦＩＲフィルタによって色信号を取り出すときに、上記１フィールドより使用されるメモリの容量は多く必要であるが、比較的メモリ容量が小さく（１画面分）で済み、画像品質としては中程度である。つまり解像度は良いが、上記１フィールドの場合と同様にＦＩＲフィルタによる処理には解像度や品質点で限界がある。
【０００７】
さらに、ＮＴＳＣ方式の静止画像の場合には、２フレームつまり４フィールドで１画面を構成すると、２画面の差分によって色信号を取り出すことになる。ＮＴＳＣ方式では画面間で１８０度位相がずれるため、差分を取ると色信号が大きく取れる。このため、フレーム差分の効果により画像品質が良好であるが、メモリ容量を大きくする必要があるという問題点がある。
【０００８】
上記のように、多機能装置の各機能に多くのメモリを必要とする場合に、映像信号の画像データへの変換処理にメモリの使用量を多くとることは、メモリの非効率的な利用となってしまい、また、画像データ用にメモリを専用に設けると、映像信号を処理するメモリは、高速で大容量なものが必要であるので、高速で大容量なメモリは価格も高く、装置全体の高騰につながるという問題点がある。
【０００９】
本発明者は、多機能装置が、各種機能に対応してメモリが使用されていること、各種機能の全てが同時に動作することが希であること等に鑑みて、本発明をなしたものである。
【００１０】
本発明は、上記課題を解決するためになされたものであり、映像信号処理で使用可能なメモリ容量に応じて画像データへの変換方法を変更し、メモリの有効利用と画像データの画質の向上図り、かつ、装置を安価に構成できる多機能装置を提供することを目的としている。
【００１１】
【課題を解決するための手段】
上記目的を達成するために、請求項１に係る発明の多機能装置では、ＮＴＳＣ方式の映像信号を受信する受信手段と、当該受信手段により受信された映像信号を画像データに変換する変換手段と、当該変換手段が変換した画像データの記憶及び他の処理で利用される記憶手段と、当該記憶手段の使用可能な容量を検出する検出手段と、当該検出手段の検出結果に基づいて、前記変換手段による変換方法を２フレームで構成される２画面の差分によって色情報と輝度情報を取り出す２画面差分法と、１フレームで構成される１画面からＦＩＲフィルタで色情報と輝度情報を取り出すＦＩＲフィルタ法との間で切り換える変換方式変更手段とを備えている。
【００１２】
上記の構成の多機能装置では、受信手段により映像信号が受信され、変換手段は当該受信手段により受信された映像信号を画像データに変換し、記憶手段が当該変換手段が変換した画像データの記憶を行う。また、記憶手段は他の処理でも利用される。検出手段が当該記憶手段の使用可能な容量を検出し、当該検出手段の検出結果に基づいて、変換方式変更手段が、前記変換手段による変換方法を２フレームで構成される２画面の差分によって色情報と輝度情報を取り出す２画面差分法と、１フレームで構成される１画面からＦＩＲフィルタで色情報と輝度情報を取り出すＦＩＲフィルタ法との間で切り換える。
【００１３】
【００１４】
【００１５】
また、請求項２に係る発明の多機能装置では、請求項１に記載の発明の構成に加え、前記変換方式変更手段は、前記検出手段による前記記憶手段の使用可能な容量の検出結果が、第１の所定量以上であった場合に、前記２画面差分法を用いた変換方法に変更することを特徴とする構成となっている。
【００１６】
上記の構成の多機能装置では、前記検出手段による前記記憶手段の使用可能な容量の検出結果が第１の所定量以上であった場合に、前記変換方式変更手段は、変換方法を２画面差分法を用いた変換方法に変更する。
【００１７】
さらに、請求項３に係る発明の多機能装置では、請求項１又は２に記載の発明の構成に加え、前記変換方式変更手段は、前記検出手段による前記記憶手段の使用可能な容量の検出結果が、第１の所定量未満、第２の所定量以上であった場合に、２フィールドで前記ＦＩＲフィルタ法を用いる変換方法に変更することを特徴とする構成となっている。
【００１８】
上記の構成の多機能装置では、前記検出手段による前記記憶手段の使用可能な容量の検出結果が第１の所定量未満、第２の所定量以上であった場合に、前記変換方式変更手段は、変換方法を２フィールドで前記ＦＩＲフィルタ法を用いる変換方法に変更する。
【００１９】
また、請求項４に係る発明の多機能装置では、請求項１乃至３のいずれかに記載の発明の構成に加え、前記変換方式変更手段は、前記検出手段による前記記憶手段の使用可能な容量の検出結果が、第２所定量未満、第３の所定量以上であった場合に、１フィールドで前記ＦＩＲフィルタ法を用いる変換方法に変更することを特徴とする構成となっている。
【００２０】
上記の構成の多機能装置では、前記検出手段による前記記憶手段の使用可能な容量の検出結果が第２の所定量未満、第３の所定量以上であった場合に、前記変換方式変更手段は、変換方法を１フィールドで前記ＦＩＲフィルタ法を用いる変換方法に変更する。
【００２１】
【発明の実施の形態】
以下、本発明の一実施の形態について図面を参照して説明する。本実施の形態では、多機能装置としての多機能ファクシミリ装置を用いた場合を例にして具体的に説明する。図１は本発明に係る多機能装置の一実施の形態としての多機能ファクシミリ装置の概略構成を示すブロック図である。
【００２２】
一般に、多機能装置としての多機能ファクシミリ装置２には、図１に示すように、操作パネル５６が設けられている。そして、多機能ファクシミリ装置２の本体の操作パネル５６の後部（図示外）には、図示外の表示器、ファインランプ、スーパーファインランプ、トナー残量表示器等が設けられ、前部には、テンキー、スタートキー、ストップキー、コピーキー等が設けられている。また、中間部には、セットキー、クリアキー、レゾルーションキー、カーソルキー等の各種の操作キーやファンクションキーが設けられている。
【００２３】
そして、表示器にはファクシミリ装置２の状態や操作手順等が表示される。テンキーは、図１に示す送信相手先のファクシミリ装置３４のファクシミリ番号を入力する場合の他、ファクシミリ装置２が有する機能を選択するために操作される。スタートキーは、機能の開始を指示するためのキーであり、ストップキーは、機能の停止を指示するためのキーである。コピーキーは、ファクシミリ装置２を複写機として使用する場合の原稿の読取開始を指示するためのキーである。また、カーソルキーは、表示器内のカーソルを移動させる場合や、機能の選択を行う場合等に操作されるキーである。
【００２４】
ファンクションキーは、ファクシミリ装置２において実行可能な種々の機能の表示開始等を指示するキーであり、機能の選択がテンキーやカーソルキー等の操作によって行われる。セットキーは、機能の選択の決定等を指示する場合に操作するキーである。
【００２５】
レゾルーションキーは、図１に示すファクシミリ装置２の画像読取装置２２における解像度を選択するためのキーである。解像度は初期設定によってスタンダードに設定されている。その場合には、ファインランプ、スーパーファインランプのいずれも点灯しない。レゾルションキーの１回の押下でファインに設定され、ファインランプが点灯させられる。２回の押下でスーパーファインに設定されて、ファインランプが消灯させられ、スーパーファインランプが点灯させられる。さらに、３回押下されれば、中間調に設定され、両方のランプが点灯させられて中間調の設定が表示される。中間調の階調レベルは、ファンクションキー、テンキーおよびカーソルキー等の操作によって所定の階調（例えば１６階調と３２階調等）に設定される。また、トナー残量表示器は、トナー残量がフルの場合には消灯状態にあるが、ニアエンプティの場合（エンプティに近づいた場合）には点滅させられ、エンプティの場合には点灯したままにされる。
【００２６】
また、本実施の形態のファクシミリ装置２には、図１に示すように制御部４が設けられ、この制御部４には処理装置としてのＣＰＵ６、メモリ（記憶手段）としてのＲＡＭ８、ＲＯＭ１０、ＥＥＰＲＯＭ１２、制御回路１４の他に、送信・受信制御回路１６、モデム１８、２値化回路２０等が設けられている。
【００２７】
上記制御回路１４には、読み取り制御部４８、ビデオ制御部５０、記録制御部５２、メモリ管理部５４が設けられている。記録制御部５２は、プリンタ機構４２が接続されている。このプリンタ機構４２は、レザープリンタ式、インクジェット式、トナージェット式等のいずれの方式のものでもよい。また、カラー画像の印字処理のためにはカラー方式のものが必要であり、特にカラーインクジェットプリンタが好ましい。但し、モノクロ画像の印字出力で良い場合は、モノクロ方式のレザープリンタ式、インクジェット式、トナージェット式でもよい。
【００２８】
また、制御回路１４には、図示外のＤＭＡＣ（direcy memory access controller)、ラッチ機構、パラレル／シリアル変換回路等が設けられている。ＤＭＡＣは、ＲＡＭ８と制御回路１４との間、制御回路１４と記録制御部５２側との間におけるデータのＣＰＵ６を介さない直接転送（direcy memory access) を行うものである。ＤＭＡＣは、図示外のビームディテクタＢＤによってレーザ光が検出されると、ＣＰＵ６に転データの送要求信号を発する。それによって、転送すべきデータの先頭アドレスと転送データバイト数とがＣＰＵにより、ＤＭＡＣにセットされる。指示されたデータが１バイトずつＲＡＭ８から制御回路１４に転送される。当該データはラッチ機構によって保持され、パラレル／シリアル変換回路によってシリアル変換されて、記録制御部５２側へ転送される。
【００２９】
そして、制御回路１４には、画像読取装置２２、スピーカ２４が接続されるとともに、ネットワークコントロールユニット（以下、ＮＣＵと略称する）２６を介して外部回線２８が接続される。本実施の形態の場合、外部回線２８には交換機および外部回線３０，３２を介して相手ファクシミリ装置（以下、相手装置と略称する）３４、相手電話機３６が接続されている。また、外部回線２８，３０，３２としては、一般加入電話回線、ＩＳＤＮ回線、専用回線等があある。
【００３０】
２値化回路２０は、ＣＣＤセンサ４６などの画像読取装置２２によって読み取られた読取画像データを２値化データに変換する回路である。
【００３１】
なお、画像読取装置２２においては、上記のＣＣＤセンサ４６を用いて原稿に光源からの光を照射して原稿を読み取る場合に、光源の原稿に対する照度むら（例えば、原稿の中央部は明るく周辺部が暗いというように）が生ずる場合がある。そのため、ＣＣＤセンサ４６の出力電圧値は、原稿上の各画素の濃淡に正確には対応しない場合がある。この不都合に対処するために、ファクシミリ装置２においては、しきい値が照度むら等に応じて決定され、ＥＥＰＲＯＭ１２のしきい値データメモリにテーブル化されて記憶されているのである。しきい値データのＥＥＰＲＯＭ１２から制御回路１４への転送もＤＭＡＣによって制御される。
【００３２】
すなわち、ＣＣＤセンサ４６などの画像読取装置２２から供給されるアナログの出力電圧値がＥＥＰＲＯＭ１２に格納されているしきい値データ（２値化回路２０においてディジタル値からアナログ信号に変換される）より大きいか否かが判定され、大きい場合には０（白）、小さい場合には黒（１）とされることによってドットデータが作成されるのである。また、操作パネル５６において、レゾルーションキーの操作によって中間調が選択された場合には、ディザマトリックスに基づいてドットデータに変換される。
【００３３】
送信・受信制御回路１６は、多機能装置２と相手装置３４とが接続された場合に、相手装置３４との間において、双方のファクシミリ番号等の交信関連情報、解像度等伝送パラメータの交換を行う回路である。
【００３４】
また、モデム１８は、デジタル信号をアナログ信号に変調し、ＮＣＵ２６を介して外部回線２８，３０，３２に出力するとともに、外部回線２８からＮＣＵ２６を介して入力されたアナログ信号をデジタル信号に復調するものである。そのため、変調・復調機構を備えている。また、この変調・復調機構の他に、音声を合成する音声合成機構、モデム受信データバッファ、モデム送信データバッファ等も備えている。
【００３５】
モデム１８中のモデム受信データバッファに８ビットのデータが格納されると、そのデータが、制御部４において割込みにより読み取られ、ＲＡＭ８内のＦＡＸ側受信データバッファへ格納される。このＦＡＸ側受信データバッファはＲＡＭ８の使用可能容量により変化するものである。ＮＣＵ２６は、データ受信時には、相手装置３４からの発呼に対して自動的に着信し、データ送信時には相手先に対して自動的に発呼するものである。
【００３６】
メモリ（記憶装置）としてのＲＡＭ８には、ＦＡＸ側受信データバッファ、ＦＡＸ側送信データバッファ、読取画像データバッファ、Ａ／Ｄ変換されたＮＴＳＣ信号を記憶するＶＴＲデータバッファ、留守番電話の録音メモリ、留守番電話の応答メッセージメモリ、符号化用バッファ、復号化用バッファ、記録部入力データバッファ、記録部出力データバッファ、交信関連情報メモリ、１行ドットデータバッファ、送信先ダイヤルメモリ、レポート記録要求フラグ、送信中フラグ、送信一時バッファ、記録中フラグ、先端フラグ、復号化管理テーブル、記録指示フラグ、１頁記録終了フラグ、記録終了検出フラグ、紙つまり状態検出フラグ、記録紙なし状態検出フラグ、記録待ちフラグ、再発必要フラグ、カートリッシなし状態検出フラグ、復号化頁カウンタ、記録頁カウンタ、記録中行数カウンタ、復号化管理頁ポインタ、記録管理頁ポインタ、ＰＣ側入力データバッファの他、ＰＣデータ記録要求フラグ記録一時バッファ、記録バッファ、ＦＡＸ部入力データバッファ、ＦＡＸ部出力データバッファ、ＦＡＸデータ記録要求フラグ、画像読取データ記録要求フラグ、記録／送信フラグ、送信のみフラグ等が設けられている。
【００３７】
また、ＲＡＭ８には、記録終了データメモリ、紙つまり状態データメモリ、記録紙なし状態データメモリ、カートリッジなし状態データメモリが設けられている。さらに、ＲＯＭ１０中のプログラムメモリには、メッセージ出力プログラム、自動レポート要求発生プログラム、レポート記録制御プログラムの他、受信割込プログラム、復号化プログラム、割込みＡ，Ｂ，Ｃプログラム、記録一行割込みプログラム、符号化プログラム、データ割込み送信プログラム、キャラクタデータをドットデータに変換するためのパターンを記憶しているパターンメモリ、パラレルデータ記録プログラム、一頁記録開始処理プログラム、一頁記録終了処理プログラム、復号化ＦＡＸ部出力プログラム、トナー残量対応記録制御プログラム、トナー残量割込検出プログラム、ＦＡＸ装置状態対応出力制御プログラム等が格納されている。
【００３８】
ＥＥＰＲＯＭ１２には、上述のしきい値データメモリ、ファクシミリ装置２の状態情報を送信する相手先の電話番号を記憶する登録ダイヤルメモリの他、カートリッジなしフラグ、エンプティフラグ、ニアエンプティフラグ等が設けられている。
【００３９】
記録制御部５２には、図示外のトナー残量検出装置、記録紙センサ、ＢＤセンサ、上流センサ（先端センサ）、下流センサ（排紙センサ）等が接続されるとともに、レーザ発光部、駆動回路を介してドラムモータが接続されている。ドラムモータにより感光ドラムと回転軸とが同期して回転させられる。
【００４０】
また、制御回路１４はＰＣインターフェイス３８を介して、パーソナルコンピュータ（ＰＣ）４０と接続されている。ＰＣ４０においては、キーボード等を利用して画像データが入力され、ＲＡＭの画像データメモリに格納される。また、記録は、表示器の表示に従ってキーボードのキー操作によって指示される。本ＰＣ４０は、画像データメモリには画像データとしてのキャラクタデータやドットデータが格納されており、ファクシミリ装置２にキャラクタデータやドットデータを出力するものである。
【００４１】
以上のように構成されたファクシミリ装置２においては、ＰＣ４０から出力された画像データの記録や相手装置３４への送信、相手装置３４から送信されてファクシミリ装置２が受信した受信画像データ、ＣＣＤセンサ４６による画像データを含む画像読取装置２２において読み取られた読取画像データ、ＶＴＲ４４からビデオ信号入力端子６０に入力される映像信号が変換された画像データ、処理交信関連情報に対応する画像データ等の記録等が行われる。
【００４２】
本実施の形態のファクシミリ装置２においては、上記各構成のうち、説明を簡潔にするために、ＣＣＤセンサ４６から取り込まれた画像データがＲＡＭ８に残っているときに、ＶＴＲ４４からビデオ信号入力端子６０に入力されたＮＴＳＣ信号から色情報と輝度情報と取り出し画像データへの変換する処理が行われる場合を例にして説明する。
【００４３】
本実施の形態を図１及び図２を参照して説明する。図２はビデオ信号入力端子６０に入力されたＮＴＳＣ信号から色情報と輝度情報と取り出し画像データへの変換する処理例を示すフローチャートである。
【００４４】
図１のブロック図で示すように、ＣＣＤセンサ４６は、制御回路１４の読み取り制御部４８で制御されている。ＣＣＤセンサ４６で取り込まれたデータはメモリ管理部５４を介してＲＡＭ８へ格納される。そして、ＲＡＭ８内のデータをプリンタ４２に出力する場合には、記録制御部５２を介してプリンタ４２へ出力する。一方、ＦＡＸ出力する場合には、ＲＡＭ８へ格納されているデータが送信・受信制御回路１６でＦＡＸ符号の圧縮を行い、モデム１８，ＮＣＵ２６を介して相手装置３４へ出力される。
【００４５】
ここでは、ＣＣＤセンサ４６で取り込まれたデータが、ＲＡＭ８へ格納されたままの場合に、ビデオ信号入力端子６０に入力されたＮＴＳＣ信号から色情報と輝度情報とが取り出される画像データへの変換処理が為される場合を説明する。
【００４６】
ビデオ信号入力端子６０は、ビデオ制御部５０に接続されており、外部のＶＴＲ４４からビデオ信号入力端子６０に入力されたＮＴＳＣ方式の映像信号がメモリ管理部５４でＡ／Ｄ変換（アナログ／デジタル変換）されて、ＲＡＭ８のＶＴＲデータバッファに取り込まれる。ＲＡＭ８のＶＴＲデータバッファに取り込まれたＡ／Ｄ変換後の映像信号はビデオキャプチャ（色情報と輝度情報の取り出し）に使用可能なメモリ容量に応じて、画像データへの変換方法が変更されて処理される。
【００４７】
ここで、ビデオキャプチャ（色情報と輝度情報の取り出し）に使用可能なメモリ容量とは、ＲＡＭ８の記憶エリアの内、他の処理で既に使用されている容量を除いた残りの容量をいう。本実施の形態では、既に、ＣＣＤセンサ４６で取り込まれたデータがＲＡＭ８へ格納されたままなので、その分だけＲＡＭ８の記憶エリア内の使用可能なメモリ容量は少なくなっている。
【００４８】
つまり、映像信号のビデオキャプチャ（色情報と輝度情報の取り出し）に使用可能なメモリ容量に応じて、ＦＩＲフィルタ処理のフィールド数を大きくとるようにメモリ管理部５４で管理するものである。本実施の形態では、フィールドが２４０×８４０＝２０１６００バイトを例にして説明する。すなわち、上記フィールドが２４０×８４０＝２０１６００バイトの場合、ビデオキャプチャに必要なメモリ容量としては、１フィールドは２４０×８４０＝２０１６００バイト、１フレーム＝１フィールド×２＝４０３２００バイト、２フレーム＝１フレーム×２＝８０６４００バイトとなる。
【００４９】
また、本実施の形態ではＲＡＭ８のメモリ容量が１メガバイトの場合、例えば共通エリアに１００Ｋバイトを使用し、残りの９００Ｋバイトを他の各種の機能やビデオキャプチャの処理に使用する場合を説明する。なおここで、共通エリアで使用されるメモリは、本発明が対象としている多機能装置の各機能を動作させるために必要な基本メモリ領域である。
【００５０】
そこで、上記フィールドに必要なメモリが上記のような場合における、メモリ管理の所定手順を図２のフローチャートにより説明する。なお、キャプチャボタンは図示しないが、操作パネル５６に設けられているものである。
【００５１】
先ず、キャプチャボタンが押されたか否かを判断し（Ｓ１）、キャプチャボタンが押されれば（Ｓ１：ＹＥＳ）、ビデオ入力がされたか否かを判断する（Ｓ２）。キャプチャボタンが押されていない場合には（Ｓ１：Ｎｏ）、キャプチャボタンが押されるまで（Ｓ１がＹｅｓになるまで）待機する。
【００５２】
ビデオ入力がされた場合には（Ｓ２：ＹＥＳ）、ビデオキャプチャに使用可能なメモリ容量を取得する（Ｓ３）。つまりここでは、ビデオ入力されるＮＴＳＣ信号の容量に対するフィルタ処理を行うときの、ＲＡＭ８の使用されていない残りのメモリ容量をビデオキャプチャで使用可能なメモリ容量として取得するものである。ここで、ビデオ入力がない場合には（Ｓ２：Ｎｏ）、ビデオ入力がある（Ｓ２：ＹＥＳ）まで、ステップＳ１及びステップＳ２の処理を繰り返す。
【００５３】
そして、ビデオキャプチャで使用可能なメモリ容量を取得すると（Ｓ３）、次に、その使用可能なメモリ容量が８０６４００バイト以上かどうか判断する（Ｓ４）。８０６４００バイト以上の場合には（Ｓ４：ＹＥＳ）、２フレーム差分法による処理をセットする（Ｓ５）。
【００５４】
使用可能なメモリ容量が８０６４００バイト未満の場合には（Ｓ４：ＮＯ）、使用可能メモリ容量が４０３２００バイト以上あるかどうか判断する（Ｓ６）。そして、使用可能メモリが４０３２００バイト以上ある場合には（Ｓ４：Ｎｏ，Ｓ６：ＹＥＳ）、２フィールドＦＩＲフィルタをセットする（Ｓ７）。
【００５５】
使用可能メモリ容量が４０３２００バイト未満の場合には（Ｓ４：Ｎｏ，Ｓ６：ＮＯ）、使用可能メモリ容量が２０１６００バイト以上あるかどうか判断する（Ｓ８）。使用可能メモリ容量が２０１６００バイト以上の場合（Ｓ４：Ｎｏ，Ｓ６：Ｎｏ，Ｓ８：ＹＥＳ）には、１フィールドＦＩＲフィルタをセットする（Ｓ９）。
【００５６】
そして、上記画像処理条件をセットした後、色情報と輝度情報をデジタルデータとして取り込み（Ｓ１１）、その後ステップＳ１の処理に戻る。なお、Ｓ１１で取り込まれた色情報と輝度情報は、ＰＣインターフェース３８を介して、パーソナルコンピュータ（ＰＣ）４０へ出力される。
【００５７】
また、使用可能メモリが２０１６００バイト未満の場合には（Ｓ４：Ｎｏ，Ｓ６：Ｎｏ，Ｓ８：Ｎｏ）、最低メモリ容量が不足しているので、エラーメッセージを表示し（Ｓ１０）、ステップＳ１の処理へ戻る。
【００５８】
以上のように、ＮＴＳＣ方式の場合、ＦＩＲフィルタを用いて色情報と輝度情報を取り出すが、このとき映像信号のビデオキャプチャ処理に使用可能なメモリ容量に応じて、信号処理を変えているので、例えばメモリ容量が少ないとき（本実施の形態の場合４０３２００バイト未満で２０１６００バイト以上の場合）には最小の１フィールドでＦＩＲフィルタによって色信号を取り出す。
【００５９】
また、メモリに上記１フィールドの場合より、ある程度の余裕があるとき（本実施の形態の場合、８０６４００バイト未満で４０３２００バイト以上）には、１フレームつまり２フィールドで1画面を構成することにより対応することができる。さらに、メモリの余裕が多くあるとき（本実施の形態の場合、使用可能メモリ容量が８０６４００バイト以上）には、２フレームつまり４フィールドで１画面を構成することができ、２画面の差分によって色信号を取り出す処理を行うことができ、画像品質の良い（フレーム差分の効果）処理を行うことができる。尚、２フレームで１画面を構成することができるのは、静止画の場合である。
【００６０】
このように、多機能装置では、各種機能に対応してメモリが使用されているが、各種機能の全てが同時に動作することが希であるために、多機能装置が有するメモリのメモリ容量の内、使用可能なメモリ容量に応じて、画像データへの変換の信号処理を変えて処理するので、使用可能なメモリの容量に応じた最適な状態で色情報の取り出しと、輝度情報の取り出しを行うことができ、メモリの有効利用を図ることができる。このため、映像信号を処理するために予め所定の容量が設定されているメモリと異なり、メモリを有効に利用して映像画質を向上させることができるとともに、装置を安価に構成することができる。
【００６１】
また、キャプチャボタン（スイッチ）が押下されたときに、画像情報の入力の有無を検出し、画像情報の入力のあるときには、使用可能メモリ容量を検出し、使用可能なメモリの容量に応じた信号処理モードを決定した後で、映像信号のビデオキャプチャの行うように構成しているので、キャプチャボタンが押下されないとき、画像情報が入力されないときには、映像処理に関する動作を作動させず、映像信号処理以外の他の機能に十分なメモリを確保することが可能になる。
【００６２】
なお、上記実施の形態では、ＣＣＤセンサ４６から取り込まれた画像データがＲＡＭ８に残っている場合にビデオキャプチャ処理を行う場合を説明したが、これに限らず前記した各種機能によりＲＡＭ８のメモリが使用されている場合に、ビデオキャプチャを行う場合も同様である。また、上記実施の形態では、１メガバイトをメモリとした例を示しているが、これに限らず、２メガバイト以上のメモリであってもよい。また、メモリとしてＲＡＭ８を例にして説明しているが、これに限らず所定の増設ＲＡＭ等を用いることもできる。さらに、映像信号としては、ＮＴＳＣ方式の場合で説明したが、ＰＡＬ方式、ＳＥＣＯＭ方式の場合であっても上記実施の形態同様に処理できる。
【００６３】
【発明の効果】
以上説明したように請求項１に係る発明の多機能装置では、受信手段によりＮＴＳＣ方式の映像信号が受信され、変換手段は当該受信手段により受信された映像信号を画像データに変換し、記憶手段が当該変換手段が変換した画像データの記憶を行うことができる。また、記憶手段は他の処理でも利用されるが、検出手段が当該記憶手段の容量の内、映像信号を画像データへ変換する処理に使用可能な容量を検出し、当該検出手段の検出結果に基づいて、変換方式変更手段が変換手段による変換方法を２フレームで構成される２画面の差分によって色情報と輝度情報を取り出す２画面差分法と、１フレームで構成される１画面からＦＩＲフィルタで色情報と輝度情報を取り出すＦＩＲフィルタ法との間で切り換えることができる。従って、記憶手段の空き容量、すなわち、映像信号を画像データへ変換する処理に使用可能な容量に応じた最適な方法で映像信号から色情報と輝度情報を取り出すことが可能となる。よって、記憶手段のメモリの有効利用を図ることができ、画像データの画質の向上とともに、多機能装置を安価に構成することができる。
【００６４】
【００６５】
また、請求項２に係る発明の多機能装置では、請求項１に係る発明の効果に加え、検出手段による前記記憶手段の使用可能な容量の検出結果が第１の所定量以上であった場合に、前記変換方式変更手段は、変換方法を前記２画面差分法を用いた変換方法に変更することができる。
【００６６】
さらに、請求項３に係る発明の多機能装置では、請求項１又は２に係る発明の効果に加え、検出手段による記憶手段の使用可能な容量の検出結果が第１の所定量未満、第２の所定量以上であった場合に、変換方式変更手段は、変換方法を２フィールドで前記ＦＩＲフィルタ法を用いる変換方法に変更することができる。
【００６７】
また、請求項４に係る発明の多機能装置では、請求項１乃至３の何れかに係る発明の効果に加え、検出手段による記憶手段の使用可能な容量の検出結果が第２の所定量未満、第３の所定量以上であった場合に、変換方式変更手段は、変換方法を１フィールドで前記ＦＩＲフィルタ法を用いる変換方法に変更することができる。
【００６８】
従って、本発明の多機能装置では、記憶手段の使用可能な容量に基づいて、最適な変換方法で、映像信号を画像データへ変換することが可能となる。よって、記憶手段のメモリの有効利用を図ることができ、画像データの画質の向上とともに、多機能装置を安価に構成することができる。
【図面の簡単な説明】
【図１】  本発明の一実施の形態の多機能装置の概略構成を示すブロック図である。
【図２】  本発明の一実施の形態の多機能装置の画像変換に関する処理例を示すフローチャートである。
【符号の説明】
２  多機能ファクシミリ装置
４  制御部
６  ＣＰＵ
８  ＲＡＭ
１０  ＲＯＭ
１２  ＥＥＰＲＯＭ
１４  制御回路
２０  ２値化回路
３４  相手ファクシミリ装置（相手装置）
４４  ＶＴＲ
４６  ＣＣＤセンサ
４８  読み取り制御部
５０  ビデオ制御部
５２  記録制御部
５４  メモリ管理部
５６  操作パネル
６０  ビデオ信号入力端子
【図１】
0003757306.tif 000002
【図２】
0003757306.tif 000003